(57)【特許請求の範囲】
【請求項１】
上位装置により呼制御を行うために設定されるメッセージをデコードし、マクロ形式の信号に変換して出力する呼制御部と、
前記呼制御部から出力されるマクロ形式の信号を受信してベースバンド制御を行うベースバンド制御部と、前記ベースバンド制御部から出力されるマクロ形式の信号を予め定義された内容に従ってコマンドに変換するベースバンドＡＰＩと、前記ベースバンドＡＰＩにより変換されたコマンドの指示に従ってベースバンド信号処理を行うベースバンド信号処理部とからなる複数のベースバンド機能部と、
を具備することを特徴とする無線基地局装置。
【発明の詳細な説明】
【技術分野】
【０００１】
本発明は、無線基地局装置に係り、特にベースバンド機能部の品質を向上した無線基地局装置に関する。
【背景技術】
【０００２】
従来、例えばＣＤＭＡ、Ｗ−ＣＤＭＡ方式を用いた移動体通信システムにおける無線基地局装置（BTS：Base Transceiver Station）は、図４に示すように構成されている。図４において、１は無線基地局装置で、呼制御部１０及びベースバンド機能部２０を備えている。呼制御部１０は、呼制御アプリケーション部１１、呼制御ＡＰＩ（Application Program Interface）１２、呼制御プラットフォーム１３からなり、上位装置である無線ネットワーク制御装置（RNC：Radio Network Controller）から送られてくるＮＢＡＰ（Node B Application Part）メッセージ（呼制御を行うために設定するメッセージ）が呼制御アプリケーション部１１に与えられる。
【０００３】
上記呼制御アプリケーション部１１は、上位装置から送られてくるメッセージをデコードし、呼制御信号として呼制御ＡＰＩ１２に与える。呼制御ＡＰＩ１２は、呼制御アプリケーション部１１でデコードされた呼制御信号をマクロ形式に変換して呼制御プラットフォーム１３へ出力する。呼制御プラットフォーム１３は、上記マクロ形式で与えられる呼制御信号に従い、ベースバンド機能部２０に対して呼制御を行う。
【０００４】
ベースバンド機能部２０は、ベースバンド制御部２１及びベースバンド信号処理部２２により構成される。ベースバンド制御部２１は、呼制御プラットフォーム１３から送られてくる呼制御信号（マクロ）を受信し、呼に応じたリソースの設定や解除などの管理を行うもので、ベースバンド信号処理部２２を制御する場合、呼制御ＡＰＩ１２からの呼制御信号に従って１つ若しくは複数のマクロを設定する。なお、図４では、２つのマクロを設定する場合の構成例を示している。
【０００５】
ベースバンド信号処理部２２は、ベースバンド制御部２１から入力される制御データに従って動作し、例えば変調・復調、符号化・復号化、拡散・逆拡散などを行う。この場合、ベースバンド信号処理部２２は、制御データを１つずつ取得してデコードし、処理に必要な全てのマクロをデコードしてベースバンド信号処理を行う。
【０００６】
上記従来の無線基地局装置におけるベースバンド信号処理部２２へのマクロの設定シーケンスを図５に示す。上位装置からＮＢＡＰメッセージが呼制御部１０に送られてくると（ステップＳ１）、このメッセージは呼制御アプリケーション部１１によりデコードされ、呼制御ＡＰＩ１２にてマクロ形式の呼制御信号に変換される。この場合の例では、呼制御ＡＰＩ１２は、２つのマクロＡ１、Ａ２に変換した呼制御信号を出力する（ステップＳ２）。この２つのマクロＡ１、Ａ２は、呼制御プラットフォーム１３からベースバンド機能部２０のベースバンド制御部２１へ送られ（ステップＳ３）、更にベースバンド制御部２１からベースバンド信号処理部２２へ送られる（ステップＳ４）。ベースバンド信号処理部２２は、上記２つのマクロＡ１、Ａ２をデコードして例えば変調・復調、符号化・復号化、拡散・逆拡散などのベースバンド信号処理を実行する（ステップＳ５）。
【０００７】
また、本発明に関連する公知技術として、２重もしくは多重化されたハードウェア構成により処理を行う無線基地局装置が知られている（例えば、特許文献１参照。）。
【特許文献１】特開２００５−７３０５２号公報
【発明の開示】
【発明が解決しようとする課題】
【０００８】
上記従来の無線基地局装置では、同一の制御をベースバンド機能部２０のベースバンド信号処理部２２に設定する場合に、呼制御ＡＰＩ１２によって、図４、図５に示したようにマクロを２つ設定する場合もあれば、その他、１つ若しくは３つのマクロを設定する場合もあり、マクロに格納されているパラメータが異なる。すなわち、呼制御を実現するマクロは、呼制御ＡＰＩ１２に依存し、呼制御ＡＰＩ１２が変わるとマクロの数やマクロに格納されるパラメータが変わるので、ベースバンド信号処理部２２の機能に影響が無くても、ベースバンド信号処理部２２の制御処理に影響する。すなわち、マクロが変われば、マクロに格納されるパラメータも変わるため、マクロによるインタフェースが変わり、マクロのメモリサイズの変更やマクロのパラメータの配置を変更する必要があり、また、マクロをデコードしてパラメータをベースバンド信号処理部２２に設定する処理も変更する必要がある。
【０００９】
本発明は上記の課題を解決するためになされたもので、呼制御ＡＰＩが変更されてマクロが変更される場合でも、マクロの変更に伴うパラメータやメモリサイズの変更の影響をなくし、ベースバンド信号処理部の制御を簡素にして品質を向上し得る無線基地局装置を提供することを目的とする。
【課題を解決するための手段】
【００１０】
本発明に係る無線基地局装置は、上位装置により呼制御を行うために設定されるメッセージをデコードし、マクロ形式の信号に変換して出力する呼制御部と、
前記呼制御部から出力されるマクロ形式の信号を受信してベースバンド制御を行うベースバンド制御部と、前記ベースバンド制御部から出力されるマクロ形式の信号を予め定義された内容に従ってコマンドに変換するベースバンドＡＰＩと、前記ベースバンドＡＰＩにより変換されたコマンドの指示に従ってベースバンド信号処理を行うベースバンド信号処理部とからなる複数のベースバンド機能部とを具備することを特徴とする。
【発明の効果】
【００１１】
本発明によれば、ベースバンド機能部のベースバンド制御部とベースバンド信号処理部との間にベースバンドＡＰＩを設け、呼制御部から送られてくるマクロを予め定義された内容に基づいてコマンドに変換し、ベースバンド信号処理部に与えることにより、呼制御ＡＰＩの変更に伴ってマクロが変更された場合であっても、マクロの変更に伴うパラメータやメモリサイズの変更をベースバンドＡＰＩで吸収でき、ベースバンド信号処理部への影響を確実に防止して品質を向上することができる。また、ベースバンドＡＰＩから３ＧＰＰ準拠のコマンドを出力することにより、３ＧＰＰ準拠のベースバンド信号処理部を使用でき、生産性、経済性及び信頼性を向上することができる。更に、ベースバンド信号処理部の仕様変更があった場合、ベースバンドＡＰＩの追加により対応することができるので保守がきわめて容易となる。
【発明を実施するための最良の形態】
【００１２】
以下、図面を参照して本発明の一実施形態を説明する。  
図１は、本発明の一実施形態に係る無線基地局装置３０の構成を示すブロック図である。無線基地局装置３０は、呼制御部４０及び複数のベースバンド機能部５０ａ〜５０ｎを備えている。  
呼制御部４０は、呼制御アプリケーション部４１、呼制御ＡＰＩ（Application Program Interface）４２、呼制御プラットフォーム４３からなり、上位装置である無線ネットワーク制御装置（RNC：Radio Network Controller）から送られてくるＮＢＡＰ（Node B Application Part）メッセージ（呼制御を行うために設定するメッセージで、基地局を制御するパラメータやチャネルを設定する時に必要なパラメータを含む）が呼制御アプリケーション部４１に入力される。
【００１３】
上記呼制御アプリケーション部４１は、上位装置から送られてくるメッセージをデコードして呼制御ＡＰＩ４２に入力する。呼制御ＡＰＩ４２は、呼制御アプリケーション部４１デコードされた呼制御信号をマクロ形式の信号に変換し、Ｎ個のマクロ（マクロ１〜マクロＮ）を呼制御プラットフォーム４３へ出力する。呼制御プラットフォーム４３は、上記Ｎ個のマクロに従い、複数のベースバンド機能部５０ａ〜５０ｎに対して呼制御を行う。
【００１４】
各ベースバンド機能部５０ａ〜５０ｎは、ベースバンド制御部５１、ベースバンドＡＰＩ（Application Program Interface）５２及びベースバンド信号処理部５３により構成される。ベースバンド制御部５１は、呼制御プラットフォーム４３から送られてくる呼制御信号（マクロ）を受信し、呼に応じたリソースの設定や解除などの管理を行う。
【００１５】
ベースバンドＡＰＩ５２には、ベースバンド信号処理部５３の動作が予め定義されている。ベースバンドＡＰＩ５２は、ベースバンド制御部５１から１つ若しくは複数のマクロが与えられると、予め定義された内容に基づいてマクロをコマンドに変換してベースバンド信号処理部５３へ出力する。上記ベースバンドＡＰＩ５２から出力されるコマンドは、例えば３ＧＰＰ（3rd Generation Partnership Project：第三世代携帯電話の標準化プロジェクト）に準拠したものが使用される。図２は、上記３ＧＰＰ準拠のコマンド例を示したものである。
【００１６】
ベースバンド信号処理部５３は、ベースバンドＡＰＩ５２から与えられるコマンドの指示に従って動作し、例えば変調・復調、符号化・復号化、拡散・逆拡散などのベースバンド信号処理を行う。
【００１７】
次に、上記実施形態に係る無線基地局装置の動作を図３に示す制御シーケンスに従って説明する。  
上位装置からＮＢＡＰメッセージが呼制御部４０に送られてくると（ステップＡ１）、このメッセージは呼制御アプリケーション部４１によりデコードされ、呼制御ＡＰＩ４２にてＮ個のマクロＡ１〜ＡＮに変換される（ステップＡ２）。このマクロＡ１〜ＡＮは、呼制御プラットフォーム４３からベースバンド機能部５０ａ〜５０ｎへ送られ、ベースバンド制御部５１を経由してベースバンドＡＰＩ５２に入力される（ステップＡ３）。ベースバンドＡＰＩ５２は、ベースバンド制御部５１から１つ若しくは複数のマクロＡ１〜ＡＮが与えられると、このマクロを予め定義された内容に基づいてコマンドに変換してベースバンド信号処理部５３へ出力する（ステップＡ４）。ベースバンド信号処理部５３は、ベースバンドＡＰＩ５２から与えられるコマンドの指示に従って動作し、例えば変調・復調、符号化・復号化、拡散・逆拡散などのベースバンド信号処理を行う（ステップＡ５）。
【００１８】
上記実施形態によれば、ベースバンド機能部５０ａ〜５０ｎのベースバンド制御部５１とベースバンド信号処理部５３との間にベースバンドＡＰＩ５２を設け、呼制御部４０から送られてくるマクロを予め定義された内容に基づいてコマンドに変換し、ベースバンド信号処理部５３に与えているので、呼制御ＡＰＩ４２の変更に伴ってマクロが変更された場合であっても、その変更内容をベースバンドＡＰＩ５２で吸収でき、ベースバンド信号処理部５３への影響を確実に防止することができる。すなわち、マクロの変更に伴うパラメータやメモリサイズの変更の影響をベースバンド信号処理部５３が受けないようにして品質を向上することができる。
【００１９】
また、ベースバンドＡＰＩ５２で３ＧＰＰ準拠のコマンドを出力することにより、３ＧＰＰ準拠のベースバンド信号処理部５３を使用でき、生産性、経済性及び信頼性を向上することができる。  
更に、ベースバンド信号処理部５３の仕様変更があった場合、ベースバンドＡＰＩ５２の追加により対応することができるので、保守がきわめて容易となる。
【００２０】
なお、本発明は、上記実施形態そのままに限定されるものではなく、実施段階ではその要旨を逸脱しない範囲で構成要素を変形して具体化できるものである。
【図面の簡単な説明】
【００２１】
【図１】本発明の一実施形態に係る無線基地局装置の構成を示すブロック図である。
【図２】同実施形態において、ベースバンドＡＰＩから出力される３ＧＰＰ準拠のコマンド例を示す図である。
【図３】同実施形態における無線基地局装置の制御シーケンスを示す図である。
【図４】従来の無線基地局装置の構成を示すブロック図である。
【図５】従来の無線基地局装置の制御シーケンスを示す図である。
【符号の説明】
【００２２】
３０…無線基地局装置、４０…呼制御部、４１…呼制御アプリケーション部、４２…呼制御ＡＰＩ、４３…呼制御プラットフォーム、５０ａ〜５０ｎ…ベースバンド機能部、５１…ベースバンド制御部、５２…ベースバンドＡＰＩ、５３…ベースバンド信号処理部
【図１】
0004602933.tif 000002
【図２】
0004602933.tif 000003
【図３】
0004602933.tif 000004
【図４】
0004602933.tif 000005
【図５】
0004602933.tif 000006